(57)【要約】【課題】収納物を見えるように収納しながら、開いてしまう恐れが無く、しっかりと保持していながら、簡単に開封できて、収納物が容易に取り出すことのできる収納ケースを提供する。【解決手段】天面板と、該天面板に対向する底面板と、前記天面板と底面板の端部に連なる4つの側面板を有する略直方体の収納ケースであって、ひとつの側面板は、前記天面板と前記底面板との間に易切断線を有し、隣接する他の一方の側面板との間に易切断線を有すか、あるいは、隣接する他の一方の側面板との間は繋がっていないで、且つ、開口部を有することを特徴とする。また、収納物の突起部の屈曲または湾曲した部分の内方に位置して係止する係止部を有することを特徴とする。【選択図】図１
2011178439.tif 000002
【特許請求の範囲】
【請求項１】
天面板と、該天面板に対向する底面板と、前記天面板と底面板の端部に連なる4つの側面板を有する略直方体の収納ケースであって、ひとつの側面板は、前記天面板と前記底面板との間に易切断線を有し、隣接する他の一方の側面板との間に易切断線を有すか、あるいは、隣接する他の一方の側面板との間は繋がっていないで、且つ、開口部を有することを特徴とする収納ケース。
【請求項２】
屈曲または湾曲して突出した突起部を有する収納物を収納する、天面板と、該天面板に対向する底面板と、前記天面板と底面板の端部に連なる4つの側面板を有する略直方体の収納ケースであって、ひとつの側面板は、前記天面板と前記底面板との間に易切断線を有し、隣接する他の一方の側面板との間に易切断線を有すか、あるいは、隣接する他の一方の側面板との間は繋がっていないで、且つ、開口部を有し、前記ひとつの側面板に対向する側面または側面の内側に前記収納物の前記突起部の屈曲または湾曲した部分の内方に位置して係止する係止部を有することを特徴とする収納ケース。
【請求項３】
前記4つの側面板のいずれかの側面板に吊下げ孔を備えた吊下げ片を設けたことを特徴とする請求項１または２に記載の収納ケース。
【請求項４】
前記4つの側面板のいずれかの隣接する2つの側面板の間に、接続面板を設けたことを特徴とする請求項１から３のいずれか１項に記載の収納ケース。
【発明の詳細な説明】
【技術分野】
【０００１】
本発明は、収納ケースに関するものである。
【背景技術】
【０００２】
従来、収納物を収納する容器として、全面を覆うよう包装する様々な形式の箱がある。これは、堅固であり、収納物の保護に優れている。その反面、店舗などで陳列されるときに収納されたものが見えないので、外面に収納物の写真などを印刷したり、また、蓋を開けた状態で収納物を見えるようにして、陳列されていた。それに代わって収納物の一部が容器の外面より見える状態で収納する収納ケースも見られるようになって来た。
【０００３】
例えば、側面板、底面板、側面板、天面板、封止板が連設されていて、底面板の上下に係止板を有するブランクを用いて、封止板を反対側の側面板に接着させて、直方体の筒状にして、係止板を内方に折って収納物を押さえるようにし、天面板と係止板の間が開いている収納ケースがあった。（特許文献１）
公知文献を以下に示す。
【先行技術文献】
【特許文献】
【０００４】
【特許文献１】特開２００１−８０６２６号公報
【発明の概要】
【発明が解決しようとする課題】
【０００５】
上述の収納ケースでは、取り出すことは容易であるが、係止板を内方に折って収納物を押さえて保持しているだけなので、輸送時や店舗での陳列時に開いてしまう恐れがたぶんにある。本発明は、収納物を見えるように収納しながら、開いてしまう恐れが無く、しっかりと保持していながら、簡単に開封できて、収納物が容易に取り出すことのできる収納ケースを提供することを課題とする。
【課題を解決するための手段】
【０００６】
本発明は係る課題に鑑みなされたものであり、請求項１の発明は、天面板と、該天面板に対向する底面板と、前記天面板と底面板の端部に連なる4つの側面板を有する略直方体の収納ケースであって、ひとつの側面板は、前記天面板と前記底面板との間に易切断線を有し、隣接する他の一方の側面板との間に易切断線を有すか、あるいは、隣接する他の一方の側面板との間は繋がっていないで、且つ、開口部を有することを特徴とする収納ケースある。
【０００７】
本発明の収納ケースは、以上のような構成であって、開口部より収納物が見え、収納物は６方向から支えられ、しっかりと保持され、開いてしまうことが無く、取り出すときは、開口部より指を入れて易切断線を切ることによって開封され、容易に取り出すことができる。
【０００８】
本発明の請求項２の発明は、屈曲または湾曲して突出した突起部を有する収納物を収納する、天面板と、該天面板に対向する底面板と、前記天面板と底面板の端部に連なる4つの側面板を有する略直方体の収納ケースであって、ひとつの側面板は、前記天面板と前記底面板との間に易切断線を有し、隣接する他の一方の側面板との間に易切断線を有すか、あるいは、隣接する他の一方の側面板との間は繋がっていないで、且つ、開口部を有し、
前記ひとつの側面板に対向する側面または側面の内側に前記収納物の前記突起部の屈曲または湾曲した部分の内方に位置して係止する係止部を有することを特徴とする収納ケースである。
【０００９】
本発明はさらに、収納物を屈曲または湾曲して突出した突起部を有する収納物として、収納物の突起部の屈曲または湾曲した部分の内方に係止部を位置させているので、より一層、収納物をしっかり保持することが出来、開封した後も容易に落ちてくることがない。
【００１０】
本発明の請求項３の発明は、前記4つの側面板のいずれかの側面板に吊下げ孔を備えた吊下げ片を設けたことを特徴とする請求項１または２に記載の収納ケースである。
【００１１】
本発明はまた、側面板に吊り下げ孔を備えた吊下げ片を設けたことによって、店舗での陳列するとき、フックなどに吊下げて陳列することが出来、店舗での陳列するときに、平置きするだけでなく、吊下げることもできて、陳列しやすい。
【００１２】
本発明の請求項４の発明は、前記4つの側面板のいずれかの隣接する2つの側面板の間に、接続面板を設けたことを特徴とする請求項１から３のいずれか１項に記載の収納ケースである。
【００１３】
本発明はさらに、接続面板を設けたことにより、収納物の一部が飛び出していても、並べておいたときに、飛び出した収納物の一部が、隣の収納ケースの接続面に位置するように並べれば、ぶつからずに並べることが出来る。
【発明の効果】
【００１４】
本発明の収納ケースは、以上のように、収納物を見えるように収納しながら、開いてしまう恐れが無く、しっかりと保持していながら、簡単に開封できて、収納物が容易に取り出すことができる。さらに、収納物が屈曲または湾曲して突出した突起部を有する収納物のときは、収納物の突起部の屈曲または湾曲した部分の内方に位置する係止部を設けているので、より一層、収納物をしっかり保持することが出来、開封した後も容易に落ちてくることがない。
【００１５】
また、吊下げ孔を備えた吊下げ片を設けることによって、陳列がしやすくなる。また更に、接続面を設けたことによって、収納物の一部が飛び出していても、隣の収納ケースにぶつかることなく並べることが出来る。
【図面の簡単な説明】
【００１６】
【図１】本発明の収納ケースの一例の展開図である。
【図２】本発明の収納ケースの一例を吊下げ片を設けた側面側から見た斜視図である。
【図３】本発明の収納ケースの一例を開口部を設けた側面側から見た斜視図である。
【図４】（ａ）本発明の収納ケースの一例に収納する収納物の一例の側面図である。  （ｂ）本発明の収納ケースの一例に収納物を収納する状態を模式的に示した説明図である。
【図５】本発明の収納ケースの他の例を開口部を設けた側面側から見た斜視図である。
【発明を実施するための形態】
【００１７】
以下本発明を実施するための形態につき説明する。
【００１８】
図１は、本発明の収納ケースの一例の展開図、図２は、本発明の収納ケースの一例を吊下げ片を設けた側面側から見た斜視図、図３は、本発明の収納ケースの一例を開口部を設けた側面側から見た斜視図、図４（ａ）は、本発明の収納ケースの一例に収納する収納物の一例の側面図、（ｂ）本発明の収納ケースの一例に収納物を収納する状態を模式的に示した説明図である。
【００１９】
本例の収納ケースは、板紙や段ボールを図１の展開図に示す形状に打ち抜き、折罫を設けたブランクを、折罫より折り曲げ、必要部分を接着して形成する。尚、折罫は、押罫または破線状のカット線で設けている。
【００２０】
図１のように、ブランクは、図の中央左より、貼着板５と、底面板１と、側面板３と、天面板２と、吊下げ片１６ｂの付いた側面板４が折罫を介し、順次連設されている。吊下げ片１６ｂには、吊下げ孔１７ｂがその中央部に開けられ、また、吊下げ片１６ｂに隣接して、貫通孔１８ｂが設けられている。
【００２１】
そして、貼着板５にも吊下げ片１６ａ、吊下げ孔１７ａ、貫通孔１８ａ、が形成され、収納ケースを組み立て形成するときに、側面板４に形成された吊下げ片１６ｂ、吊下げ孔１７ｂ、貫通孔１８ｂ、と一体となって、ひとつの吊下げ片１６、吊下げ孔１７、貫通孔１８となる。
【００２２】
底面板１の上端には易切断線ａを介し、貼着板６が設けられ、下端には折罫を介し、貼着板７が設けられている。側面板３の上端には易切断線ｂを介し、接続面板８が設けられ、更に折罫を介し、ひとつの側面板９が設けられている。そして、側面板３の下端には折罫を介し、係止片１０を有する折曲板１１が設けられている。
【００２３】
天面板２の上端には易切断線ｃを介し、貼着板１２が設けられ、下端には、側面板９に対向する側面版１３が折罫を介し設けられている。そして、側面板４の下端には折罫を介し、接続面板１４が設けられ、更に折罫を介し、折曲板１５が設けられている。
【００２４】
易切断線は、切りやすいように設けられた略線状のものである。例えば、破線状に貫通した切れ目であっても良いし、Ｙの字状の貫通した切れ目をＹの字の下の部分が上の二股の間を指すように、線状に並べたものでも良い。また、図１の展開図に記載されたような折れ線状の貫通した切れ目を線状に並べたものであっても良い。更には、半抜き線で連続して設けても良いし、半抜き線と他のものと組み合わせた易切断線でも良い。
【００２５】
本例の収納ケースを組み立てるには、まず、貼着板５と、底面板１と、側面板３と、天面板２と、側面板４をそれぞれの間の折罫で折って、貼着板５の外面を側面板４の内面に貼り合わせる。このとき、吊下げ片１６ａ、１６ｂは重なり、その吊下げ孔１７ａ、１７ｂも重なり合う。また、吊下げ片に接する貫通孔１８ａ、１８ｂも重なり合って、図２のように吊下げ片を有する側面が完成する。
【００２６】
吊下げ片１６ａ、１６ｂは切れ刃を用いて切れ目により形成されており、その中央部分にある吊下げ孔１７ａ、１７ｂと吊下げ片１６ａ、１６ｂに接する貫通孔１８ａ、１８ｂは、貫通孔として設けられている。
【００２７】
吊下げ片１６を起こす時にこの貫通孔１８より、指を入れて容易に起こすことができるようになっている。そして、店舗などで吊下げ孔１７をフックなどにかけて陳列すること
が出来る。これにより、吊下げ片１６、が、貼着板５と側面板４の２枚が貼りあわされて形成されているので、吊下げたときに、丈夫で破けにくく安心できる。
【００２８】
次に、底面板１と貼着板６を、その間の易切断線ａで折り曲げ、同様に、天面板２と貼着板１２を、その間の易切断線ｃで折り曲げる。側面板３と接続面板８をその間の易切断線ｂで折り曲げ、更に、接続面板８と側面板９の間の折罫を折って、側面板９の内面に、貼着板６と貼着板１２をそれぞれ貼着する。
【００２９】
これによって、図３のように、側面板９は、底面板１との間と、天面板２との間が、それぞれ、易切断線ａ、ｃで繋がっていて、また、側面板３とは、接続面板８と易切断線ｂを介して連続している。尚、接続面板８と底面板１の間、および、天面板２との間は、接続していない。また、側面板９の側面板４との間は開口部となっていて、側面板９と側面板４の間は繋がっていない。
【００３０】
このように、開口部が設けられているので、この開口部より収納物を見ることが出来る。また、この開口部に指を入れて、側面板９を外側に引っ張り、易切断線ａ、ｃを切ることによって、開口され収納物を取り出すことが出来る。また、易切断線ｂを切断して、側面板３と接続面板８を取り外して、収納物を収納ケースに入れ、家庭で収納物を保管する用途に用いることが出来る。
【００３１】
以上のように、３つの側面が完成した収納ケースに収納物を入れ、折曲板１１を倒して係止片１０を、収納物の突起部の屈曲または湾曲した部分の内方に位置させて係止させる。そして、貼着板７を底面板１との間の折罫で折り、接続面板１４を側面板４との間の折罫で折って、底面板１と天面板２の端に沿わせ、更に、折曲板１５を接続面板１４との間の折罫で折る。次に、側面板１３を天面板２との間の折罫で折って、側面板１３の内面を貼着板７および折曲板１５の外面とを接着する。
【００３２】
図４（ｂ）は、係止片１０を、収納物の突起部の屈曲または湾曲した部分の内方に位置させて係止させた状態を示している。図４（ａ）に収納物の例を示す。この収納物は、フランジを有するプラスチックシートより成形された容器本体と、それに嵌合する同じくプラスチックシートより成形された蓋である。容器本体のフランジは開口部の外側に広がり、更に下方向に湾曲している。また、蓋もそれと嵌合するために周縁部が外側に広がり、更に下方向に湾曲している。
【００３３】
この容器本体を３個重ね、また蓋も３個重ねた状態で、一番上の容器本体に一番下の蓋をかぶせ嵌合させて、収納ケースに入れられている。そして、係止片１０が容器本体の外側に突出して外側に広がり、更に下方向に湾曲した周縁部の内側に差込まれて収納物を係止している。このように、収納物は係止されているので、輸送や移動に際して、収納ケース内で動き難くなり、安定する。また、開口して収納物を取り出すときも、落としてしまう恐れは無く、収納物を持って引き出せば容易に係止がはずれ取り出すことが出来る。
【００３４】
本発明の一例について、説明したが、本発明は、これに限定されるものではない。例えば、図５のように開口部１９を側面板９の内方で側面板４寄りに設けてもよい。このとき、側面板４と側面板９の間は、繋がっていなくても良いし、また、易切断線を設けた貼着板で接続させても良い。この場合であっても、この開口部より収納物を見ることが出来、この開口部に指を入れて、側面板９を外側に引っ張ることによって、開口され収納物を取り出すことが出来る。また、易切断線ｂを切断して、側面板３と接続面板８を取り外して、収納物を収納ケースに入れ、家庭で収納物を保管する用途に用いることが出来る。
【符号の説明】
【００３５】
１・・・底面板
２・・・天面板
３、４、９、１３・・・側面板
５、６、７、１２・・・貼着板
１０・・・係止片
１１・・・折曲板
１４・・・接続面板
１５・・・折曲板
１６、１６ａ、１６ｂ・・・吊下げ片
１７、１７ａ、１７ｂ・・・吊下げ孔
１８、１８ａ、１８ｂ・・・貫通孔
１９・・・開口部
ａ、ｂ、ｃ・・・易切断線
【図１】
2011178439.tif 000003
【図２】
2011178439.tif 000004
【図３】
2011178439.tif 000005
【図４】
2011178439.tif 000006
【図５】
2011178439.tif 000007